(57)【要約】      （修正有）【課題】ユーザが簡単に修理及び保守することのできるチョークラインを提供する。【解決手段】本チョークライン１は、紐又は糸を巻き取るスプール３０をチョークチャンバ２２内に支持するハウジング２を備えている。スプール３０を巻き戻すための伝達装置は、別の区画に配置されている。チョークが詰まったチャンバ２２は、伝達装置から隔離されていて、チャンバ２２内に配置されている構成要素は、スプール３０と、糸と、チョークである。チャンバ２２にアクセスするためのドア４２は、ラッチ６０を手動操作することにより開かれる。更に、ラッチ６０が不用意にロック解除されることの無いように、安全インターロックが設けられている。【選択図】図４
2010023226.tif 000002
【特許請求の範囲】
【請求項１】
チョークラインにおいて、
チョークチャンバと、前記チャンバにアクセスするための開口部とを画定するハウジングと、
前記開口部を通して前記チョークチャンバにアクセスすることのできる開位置と、前記チャンバへのアクセスを妨げる閉位置との間を動かすことのできるドアと、
前記ドアが前記閉位置に維持されるロック位置と、前記ドアを前記開位置に動かすことのできるロック解除位置との間を動かすことのできるラッチと、を備えているチョークライン。
【請求項２】
前記ラッチが前記ロック解除位置に動くのを防ぐための安全装置を更に含んでいる、請求項１に記載のチョークライン。
【請求項３】
前記安全装置は、前記ラッチに選択的に当接する、請求項２に記載のチョークライン。
【請求項４】
前記安全装置は、補充用キャップを備えている、請求項１に記載のチョークライン。
【請求項５】
前記補充用キャップは、前記ハウジングから取り外すと、前記チョークチャンバにアクセスすることができる、請求項４に記載のチョークライン。
【請求項６】
前記安全装置は、前記ラッチとの当接関係に至るまで動かすことのできる部材を備えている、請求項３に記載のチョークライン。
【請求項７】
前記ラッチは、前記ロック位置に付勢されている、請求項１に記載のチョークライン。
【請求項８】
前記ドアを前記開位置に付勢するためのばねを更に含んでいる、請求項１に記載のチョークライン。
【請求項９】
前記ラッチは、前記ハウジングに対して滑動して前記ドアと係合する、請求項１に記載のチョークライン。
【請求項１０】
前記チョークハウジング内にスプールを更に含んでいる、請求項１に記載のチョークライン。
【請求項１１】
前記スプール用の前記駆動機構は、前記チョークチャンバから隔離されている、請求項１に記載のチョークライン。
【請求項１２】
チョーク糸は、前記スプール上に巻き取られる、請求項１０に記載のチョークライン。
【請求項１３】
チョーク糸は、前記スプール上に巻き取られ、前記チョーク糸は、前記補充用キャップを通って伸張する、請求項４に記載のチョークライン。
【請求項１４】
前記ドアは、スプールを回転可能に支持するための軸受け部材を含んでいる、請求項１０に記載のチョークライン。
【請求項１５】
前記ドアは、前記ハウジングから完全に取り外すことができる、請求項１に記載のチョークライン。
【請求項１６】
チョークラインにおいて、
チョークチャンバと、前記チャンバにアクセスするための開口部とを画定するハウジングと、
前記開口部を通して前記チョークチャンバにアクセスすることのできる開位置と、前記チャンバへのアクセスを妨げる閉位置の間を動かすことのできるドアと、
前記ドアが前記閉位置に維持されるロック位置と、前記ドアを前記開位置に動かすことのできるロック解除位置との間を動かすことのできるラッチと、
前記ラッチが前記ロック解除位置へ動くのを防止するための、前記ラッチの運動と選択的に交差する安全装置と、を備えているチョークライン。
【請求項１７】
チョークラインを操作する方法において、
チョークチャンバ及び前記チャンバにアクセスするための開口部を画定するハウジングと、前記開口部を通して前記チョークチャンバにアクセスすることのできる開位置と、前記チャンバへのアクセスを妨げる閉位置との間を動かすことのできるドアと、前記ドアをロック及びロック解除するためのラッチと、を設ける段階と、
安全機構を、前記ラッチが動くのを防ぐ第１位置から、前記ラッチを動かせる第２位置へ動かす段階と、
前記ラッチを、前記ドアが前記閉位置に維持されるロック位置と、前記ドアを前記開位置に動かすことのできるロック解除位置との間で動かす段階と、から成る方法。
【請求項１８】
チョークラインにおいて、
チョークチャンバと、
前記チョークチャンバへのアクセス開口部を開閉するためのドアと、
チョークラインを前記チョークチャンバ内に支持するためのスプールと、
滑動することができて、前記ドアと係合するためのラッチボルトを有しているラッチであって、前記ラッチの一部は本体の外側に露出している、ラッチと、
前記ラッチに干渉し、前記ラッチボルトの作動を阻止する安全部材であって、前記安全部材は、前記ラッチが沿って動く方向と交差する方向に動かすことのできる安全部材と、
前記ラッチをロック方向に付勢する付勢部材と、を備えているチョークライン。
【請求項１９】
チョークライン装置において、
前記チョークライン装置の構成要素を保持するための区画と、チョークチャンバと、前記チャンバにアクセスするための開口部とを画定するハウジングと、
前記開口部を通して前記チョークチャンバにアクセスすることのできる開位置と、前記チャンバへのアクセスを妨げる閉位置との間を動かすことのできるドアであって、前記ドアが前記開位置にあるとき、前記構成要素は、前記チョークチャンバから隔離された状態に留まっている、ドアと、を備えているチョークライン装置。
【発明の詳細な説明】
【技術分野】
【０００１】
本発明は、チョークリール、チョークスプール、チョークボックス、又はチョークラインと一般的に呼ばれるチョークラインマーキング装置（以後「チョークライン」と呼ぶ）に関しており、より具体的には、修理及び保守が簡単にできるチョークラインに関する。
【背景技術】
【０００２】
チョークラインは、糸又は紐を巻き取るスプールで構成されていることが知られている。スプール、チョークライン、及びスプールの駆動伝達装置は、ハウジング内に支持されている。駆動伝達装置は、使用後に糸をスプールに巻き戻すための外部ハンドルにスプールを接続する歯車、ばね、及び他の構成要素を備えていてもよい。チャンバには、有色チョークが詰まっているか、又は部分的に詰まっていて、ハウジング内のスプールに巻き付けられる糸にチョークが被覆されるようになっている。糸は、ハウジングの穴を通してハウジングから引き出して、何かの表面に「パチンと当てると」、その表面にチョークの線を形成することができるようになっている。でき上がったチョークの線は、建造物又は他の用途の基準線として使用することができる。通常のチョークラインは、チャンバにチョークを補充するのに用いることのできる穴を含んでいる。通常、ハウジングは、内部構成要素と共に組み立てられ、複数のスクリューで一体に固定されているハウジング部分で構成されている。ハウジングの内部には、ねじ廻しの様な別の工具を使ってスクリューを取り外して、ハウジングと構成要素を分解することにより、アクセスすることができる。
【発明の概要】
【発明が解決しようとする課題】
【０００３】
ユーザーが簡単に修理及び保守することのできる改良されたチョークラインが必要とされている。
【課題を解決するための手段】
【０００４】
本発明のチョークラインは、紐又は糸が巻き付けられたスプールを支持するハウジングと、チョークチャンバ内のチョークとを備えている。スプールを巻き戻すための伝達装置及び他の構成要素は、チョークチャンバとは別の区画内に配置されている。チョークチャンバは伝達装置から隔離されていて、チョークチャンバ内に配置されている構成要素は、スプール、糸、及びチョークである。チョークチャンバに容易にアクセスできるようにするドア又はカバーは、ラッチを手動操作することによって開けられる。更に、安全インターロックが設けられていて、ラッチが不用意にロック解除されることのないようになっている。別の実施形態では、ドア又はカバーは、スクリューの様な別の単一の締結具によって確実に閉じられている。ドア又はカバーが開けられたとき、スプール、糸、及びチョーク以外のチョークラインの内部構成要素は、チョークチャンバから隔離され、別の区画内に拘束された状態に留まっている。チョークラインを操作する方法も開示されている。
【図面の簡単な説明】
【０００５】
【図１】本発明のチョークラインの前面図である。
【図２】図１のチョークラインの側面図である。
【図３】図１のチョークラインの斜視図である。
【図４】図１のＡ−Ａ線に沿う断面図で、安全インターロックが係合されている状態を示している。
【図５】図４と同様の断面図で、安全インターロックが係合解除されている状態を示している。
【図６】図１のチョークラインのハウジングへの補充用キャップの取り付けを示す断面図である。
【図７】図１のチョークラインのハウジングへの補充用キャップの取り付けを示す断面図である。
【図８】図１のチョークラインのハウジングへの補充用キャップの取り付けを示す断面図である。
【図９】本発明のチョークラインの別の実施形態の断面図であり、アクセスドアが単一の締結具で固定されているものを示されている。
【図１０】本発明のチョークラインの作動を示すブロック図である。
【発明を実施するための形態】
【０００６】
本発明のチョークラインを、図面には全体として１で示している。チョークライン１は、上部２ａと下部２ｂで形成されるハウジング２を備えている。上部２ａと下部２ｂは、ねじを切ったスクリューの様な締結具３によって一体に接続されている。上部２ａと下部２ｂは、接着剤、溶接、機械的スナップ嵌めなどによって一体に固定されていてもよい。
【０００７】
上部２ａと下部２ｂの間には、補充用キャップ４が、ハウジング２に対して回転できるように取り付けられている。補充用キャップ４は、ハウジング２の嵌合穴５に装着される。ゴム製のガスケット７が、ハウジング２とキャップ４の底面の間に配置されている。キャップ４をハウジング２に係合させると、両要素間にシールが形成され、チョークがハウジング２から漏れ出るのが防止される。
【０００８】
スプール駆動機構１１は、回転運動できるようにハウジング２の外側に取り付けられている巻き戻しハンドル１２を備えている。ハンドル１２は、ピボット軸１６で回転部材１４に接続されていて、ハンドルを、図示のロック位置から、ハンドル１２を使って回転部材１４をＢ−Ｂ軸周りに回すことのできる伸張位置まで軸回転させることができるようになっている。回転部材１４は、伝達装置１８を介して出力軸１６に接続されている。ハンドル１２を第１方向に回すと、伝達装置１８を介して出力軸１６が回され、紐又は糸３２がハウジング２内に引き込まれ、スプール３０上に巻き取られる。使用中に、紐又は糸３２をハウジングから引き出し、スプール３０から巻き解くと、出力軸１６が反対方向に回される。紐又は糸３２が巻き解かれる間の軸１６の回転は、ハンドル１２に伝達されてもよいし、或いは、回転部材１４を押し下げてクラッチとして作動させて、伝達装置１８と回転部材１４の係合を解除し、紐又は糸３２を伸ばしてもハンドルが回転しないようにすることもできる。ユーザーが部材１４を緩めると、ばね１７が回転部材１４を係合位置へ戻す。伝達装置１８は、壁２０によってチョークチャンバ２２から隔離されている区画２４内に配置されており、スプール駆動機構の、チョークチャンバ内に配置されている部分だけが、出力軸１６の、壁２０の穴２１を貫通して伸びている部分となっている。フェルト製のシール１９は、リール３０と壁２０の間に配置されており、チャンバ２２内のチョークが、区画２４に入るのを防いでいる。スプール駆動機構１１をチョークチャンバ２２から隔離することにより、ユーザーは、スプール駆動機構を露出させること無く、チョークチャンバ２２にアクセスすることができる。その結果、スプール駆動機構を汚したり、壊したり、又は不用意に分解する危険性が最小になる。
【０００９】
スプール３０は、チョークチャンバ２２内に配置されていて、出力軸１６に係合され、これと共に回転するようになっている。図示の実施形態では、出力軸１６は、矩形断面を有しており、スプール３０の同様の形状の穴と係合させて、スプール３０と軸１６が一体となって回転するようになっている。スプール３０は、軸１６上を滑動させて、軸に取り外し可能に取り付けられるようになっており、ユーザーがチョークチャンバにアクセスするときは、チョークチャンバ２２から取り外すことができる。チョークチャンバ２２から取り外しできる構成要素は、糸３２が巻き付けられたスプール３０とチョークだけである。糸又は紐３２は、スプール３０に巻き取られ、キャップ４の穴３６を通してハウジング２から伸び出る。末端フック３８が紐又は糸３２に取り付けられていて、使用中に、糸又は紐を建造物に仮に取り付けることができるようになっていてもよい。糸又は紐３２をハウジングから伸ばすと、スプール３０は、第１方向に回転し、紐又は糸３２を巻き解く。スプール３０がハンドル１２によって第１方向とは反対の第２方向に回されると、糸又は紐は、スプール３０上に巻き戻される。
【００１０】
チョークチャンバ２２には、ハウジング２の開口部４０を介してアクセスすることができる。本発明の発明者は、チョークライン装置に関わる問題は、チョークが、チョークスプールの内側でくっつき合うか又は「固まる」傾向を有すること、及び、チョークチャンバへのアクセスは、特に作業現場では厄介なことであると特定した。チョークが固まるのは、様々な理由で起こるが、普通は、水分、露、湿気、及び湿潤な作業環境に関係している。チョークが詰まると、チョークラインの適切な作動が妨げられる。チョークが固まると、スプール３０の回転が妨げられ、伝達装置１８又はハンドル１２を破壊することにもなりかねない。開口部４０は、スプール３０を、開口部を通して装着することができ、チャンバ２２から取り外せるような大きさになっている。
【００１１】
チョークチャンバ２２には迅速且つ簡単にアクセスできるので、ユーザーは、チョークチャンバを清掃し、くっついて固まったチョークを砕くことができる。しかしながら、従来のチョークラインでは、ねじ廻しの様な工具を使って別々の締結具のねじを緩めてハウジングと内部構成要素を分解して、アクセスするようになっている。既知の先行技術の装置では、ユーザーは、適切な利用可能な工具を有していなければならない。更に、締結具を取り外し、再び取り付けるのに、時間の掛かることもある。更に、或る作業環境では、締結具を間違った場所に配置する可能性もある。従来のチョークスプールでは、伝達装置及び他の構成要素が配置されているチャンバは、組み立てられた装置ではチョークチャンバから隔離されているが、チョーク、糸、及びスプールにアクセスするために締結具を取り外して、ハウジングを分解すると、チョークラインの他の構成要素も露出し、拘束されていない状態になる。その結果、これらの構成要素は、チョークにまみれることもあれば、チョークチャンバの清掃中に無くなったり損傷したりすることもある。これらの構成要素も、再び組み立てなければならない。
【００１２】
チョークリール１では、開口部４０は、ドア又はカバー４２によって閉じられている。本発明のチョークリールでは、ドアは、容易に開くことができ、開いているときにチョークチャンバから取り出せる構成要素は、スプール３０と糸３２だけである。それ以外の、伝達装置１８、回転部材１４、ばね１７の様な構成要素と、ロックなどの他の構成要素とは、チョークチャンバから隔離された状態に留まり、区画２４内の所定の位置に拘束された状態に留まっている。
【００１３】
ドア４２は、開口部４０に嵌めると、チョークをチャンバ２２内に封入できる大きさに作られている。柔軟性のあるガスケット４５をドア４２の周辺部の周りに設けて、開口部を密封してもよい。ドア４２は、開口部４０の第１端部４２ａが蝶番で支持されている。図示の実施形態では、ドア４２は、開口部４０の縁部の下に挿入されるフランジ４３を含んでおり、ドアを、フランジ４３と開口部４０の縁部との係合部の周りに軸回転させることができるようになっている。この様な配置にすると、ドアも、ハウジング２から完全に取り外すこともできる。代わりに、機械的ピンヒンジ又はストラップヒンジなどを使用してもよい。ドア４２は、更に、ラッチ６０に嵌合させてドアを閉鎖位置にロックするための構造を含んでいる。図示の実施形態では、空洞４６が、ドア４２の下面に形成されており、そこにラッチが挿入される。ドア４２は、更に、スプール３０の回転軸と係合してスプールを支持し、スプールがハウジング２内で回転するときに安定させる軸受け面４８を含んでいてもよい。
【００１４】
ラッチを開いたときドア４２が僅かに開くように付勢するばねを使用してもよい。図示の実施形態では、一対の板ばね５０が、開口部４０の中へ伸張しラッチに隣接するようにハウジングに取り付けられている。板ばね５０は、開口部４０の中へ伸張しており、ドアが閉じられるときに、ドア４２の下面と係合する。この位置では、板ばね５０は、変形し、エネルギーを蓄えている。ラッチ６０が緩められると、板ばね５０は、変形していない状態に戻り、ドア４２を押し開く。ドアを開くための他のばね型機構を使用することもできる。
【００１５】
ラッチ６０は、ハウジング２に対してロック位置とロック解除位置の間を往復運動できるように、ハウジング２に滑動可能に支持されている。図示の実施形態では、ラッチ６０は、ハウジング２に形成されたスロット６２の中に、ハウジングに沿って往復運動できるように保持されている。ラッチ６０は、スロット６２内に滑動可能に受け入れられていて、幅広の上部部材６６を、滑動部材６０をハウジング２に保持する幅広の下部部材６８に接続する、細い首部分６４を含んでいる。上部部材６６は、ハウジング２の窪み６７内に配置されているボタンとして形成されており、ユーザーがこれを操作して、ラッチ６０をロック位置とロック解除位置の間で動かすようになっている。下部部材６８は、ドア４２とロック位置で係合するラッチボルト６８ａとして形成されている。ラッチボルト６８ａは、空洞４６と係合する楔として形成してもよい。ばね７０は、ラッチ６０を、図５に示す矢印Ａの方向にロック位置へと付勢する。ばね７０は、ラッチ６０とハウジング壁の間で圧縮される圧縮コイルばねであってもよい。図４に示す様に、ラッチ６０は、ばね７０と係合して、ばねとラッチ６０の間の相対的な向きを維持する突起６０ａを含んでいてもよい。ラッチ６０は、ばね７０に抗して（矢印Ａの方向とは反対の方向に）、ラッチボルト６８ａがドア４２と係合してドアが開くのを防ぐ図４のロック位置から、ラッチボルト６８ａがドア４２と係合しておらず、ドアを開いてチャンバ２０にアクセスすることのできるロック解除位置まで、動かすことができる。ユーザーは、部材６６を押して、ラッチ６０を、矢印Ａとは反対方向に動かす。
【００１６】
ユーザーは、ラッチを操作すること無く、ドア４２を閉じることができる。ドア４２には、ラッチ６０に形成されている協働するカム面４９と係合するカム面４７が形成されており、ドアを閉じると、カム面が互いに係合するようになっている。面４７と４９は、ドアが閉じられると、面が互いの上を滑動し、ラッチ６０が矢印Ａの方向に押されるように配置されている。ドア４２が閉じられると、ばね７０は、ラッチ６０を、図４に示す係合させてロックする位置に押し付ける。
【００１７】
チャンバ２２はチョークで満たされているので、不用意にドア４２を開くと、チョークが流出し、及び／又はスプール３０を無くすことになりかねない。不用意にドア４２が開くのを防止するために、安全機構が設けられている。安全機構は、回転式補充用キャップ４を備えており、ラッチ６０をロック解除位置に動かすことができるようにするには、キャップ４を適切に位置決めしなければならないようになっている。補充用キャップ４は、図４を見ると良く分かる様に、ラッチ６０の端部と係合するフランジ８０を含んでいる。キャップ４が第１ロック又は安全位置にあるときは、フランジ８０は、突起６０ａに当接している。キャップ４がこの位置にあるとき、ラッチ６０のフランジ８０との当接係合は、ラッチ６０がラッチ解除開放位置に（図５の矢印Ｂの方向に）動かされるのを防いでいる。ドア４２を開く際は、キャップ４は、穴３６の軸の周りに回される。キャップ４は、図５に示す様に、フランジ８０がラッチ６０から回転して離れるまで回される。この位置では、ラッチ６０は、ロック解除位置まで動かすことができる。
【００１８】
ドア４２を開く際には、安全機構を安全解除位置まで動かし、そこで、先ずキャップ４を、図４に示す位置から図５の位置まで回し、そうすると、キャップ４がラッチ６０の動きと干渉しなくなる（ブロック１００１）。次に、ラッチ６０を、図５に矢印Ｂで示す様に、ロック解除位置へ動かす（ブロック１００２）。ラッチ６０がドア４２を邪魔しなくなると、ばね５０は、ドアを押し開ける（ブロック１００３）。すると、ユーザーは、チャンバ２２内に置かれているスプール３０、糸又は紐３２、軸１６、及びチョークにアクセスすることができる（ブロック１００４）。スプール３０、糸又は紐３２、及びチョークは、ハウジングから取り出すことができる。残りの内側構成要素は、ユーザーから隔離され、区画２４内に拘束された状態に留まる（ブロック１００５）。
【００１９】
図６、図７、及び図８に示すように、キャップ４は、ハウジング２に形成されている穴５の後面と係合する一対のフランジ９０を有している。フランジ９０は、キャップ４をハウジング内に保持するよう協働する。穴５は、不規則な形状に形成されており、向かい合う側壁９１と９２は、フランジ９０が穴５を通過できる距離だけ離して配置されており、向かい合う側壁９４と９５は、フランジ９０が穴５を通過するのを防ぐ距離だけ離して配置されている。キャップ４が図６の位置にあるときは、フランジ９０は、側壁９４及び９５と係合し、キャップ４をハウジング２上に保持する。キャップ４を図７の位置に回すと、フランジ９０は、側壁９４及び９５から離れた位置へと回されて、側壁９１及び９２と整列する。側壁９１と９２は、キャップ４の幅よりも離して配置されているので、フランジ９０は、ハウジング２と係合しない。この位置では、キャップ４は、穴５を通過することができ、ハウジング２から完全に取り外すことができる。すると、開口部５を使って、チャンバ２２にチョークを補充することができるようになる。
【００２０】
図９は、本発明の別の実施形態を開示しているが、同様の参照番号は、図１から図８に関して述べたのと同一の構成要素を指すのに用いられている。図９の実施形態では、ねじを切ったスクリューの様な単一の締結具１００がドア４２に取り付けられている。締結具１００には、工具無しで締結具を緩めることのできる、摘みスクリュー又は蝶ナットの様な工具不要型の締結具も含まれる。締結具１００は、ハウジング２に形成されている相手のねじの切られたボア１０２と係合して、ドアを閉じたロック位置に固定する。ドアは、締結具１００をボア１０２から緩めることによって開かれる。スクリュー１００は、末端ユーザーが失くすことの無いように、例えば、窪み１０４との係合によって、又はロックワッシャー（図示せず）の使用によって、緩められた状態でもドアに捕捉された状態に留まるようになっている。この実施形態では、チョークチャンバにアクセスして、そこから取り出すことのできる構成要素は、スプール３０、糸３２、及びチョークだけである。軸１６にはアクセスできるが、取り出すことはできない。他の構成要素は、チャンバ２４内に拘束された状態に留まっており、チャンバ２２内のチョークから隔離されている。
【００２１】
本発明の各種実施形態をここに開示しているが、特許請求項に記載されている本発明の精神及び範囲から逸脱すること無く、様々な変更及び修正を行うことができる。当業者には理解頂けるように、本発明は、他の環境では他の用途を有している。多くの実施形態が考えられる。
【符号の説明】
【００２２】
１  チョークライン
２  ハウジング
２ａ  上部
２ｂ  下部
３  締結具
４  補充用キャップ
５  ハウジングの穴
１１  スプール駆動機構
１２  巻き戻しハンドル
１４  回転部材
１６  ピボット軸、出力軸
１７  ばね
１８  伝達装置
２０  壁
２１  壁２０の穴
２２  チョークチャンバ
２４  区画
３０  スプール
３６  キャップの穴
４０  ハウジングの開口部
４２ａ  開口部の第１端部
４２  ドア又はカバー
４３  フランジ
４５  ガスケット
４６  空洞
４７  ドアのカム面
４８  軸受け面
４９  ラッチのカム面
５０  板ばね
６０  ラッチ
６０ａ  ラッチの突起
６２  スロット
６４  ラッチの細い首部分
６６  ラッチの上部部材
６７  ハウジングの窪み
６８  ラッチの下部部材
６８ａ  ラッチボルト
７０  ばね
８０  補充用キャップのフランジ
９０  キャップのフランジ
９１、９２、９４、９５  穴の側壁
１００  締結具
１０２  ボア
１０４  窪み
【図１】
2010023226.tif 000003
【図２】
2010023226.tif 000004
【図３】
2010023226.tif 000005
【図４】
2010023226.tif 000006
【図５】
2010023226.tif 000007
【図６】
2010023226.tif 000008
【図７】
2010023226.tif 000009
【図８】
2010023226.tif 000010
【図９】
2010023226.tif 000011
【図１０】
2010023226.tif 000012
【外国語明細書】
2010023226000001.pdf